(57)【特許請求の範囲】
【請求項１】
磁気テープ上に、前記磁気テープの長手方向に斜めに形成された情報信号記録トラックの前記磁気テープ上の位置を識別するための識別信号として、単調変化のバイナリ−コードを前記磁気テープの長手方向に沿って記録するようにする磁気記録装置であって、
最上位ビットで正負の符号を表わすものであって、前記磁気テープの始端側と終端側とでは正、負の符号が異なるようにすると共に、前記情報信号記録トラックの前記磁気テープ上の位置に対応して順次に変化する２の補数表現のコードを発生するコード発生手段と、
前記コード発生手段からの前記２の補数表現のコードの最上位ビットを反転する反転手段と、
前記反転手段からのコードを、前記識別信号として前記磁気テープの長手方向に沿って記録する手段と、
を備える磁気記録装置。
【発明の詳細な説明】
【０００１】
【産業上の利用分野】
この発明は、例えばデータレコーダとして使用して好適な磁気記録装置に関する。
【０００２】
【従来の技術】
ＶＴＲを使用するデータレコーダのフォーマットとして、ＩＤ−１フォーマットが提案されている。このＩＤ−１フォーマットにおいては、図５Ａに示すように、磁気テープ１上に斜めのデータ記録トラック２を順次形成して情報信号を記録するとともに、磁気テープ１の長手方向に沿ったコントロールトラック３に、４本のデータ記録トラックにつき１つの割合で、トラックセットＩＤと呼ばれる２３ビットの識別コードを書き込むようにしている。
【０００３】
図５Ｂは、コントロールトラック３に書き込まれる信号を示し、４本のデータ記録トラック２毎にコントロールパルスＣＰが記録される。そして、隣り合うコントロールパルスＣＰの間に２３ビットの識別コードＩＤが書き込まれるものである。
【０００４】
この識別コードＩＤは、テープ１上での絶対アドレスとして用いられ、サーチなどの動作も、この識別コードＩＤを用いて行なうようにされている。ＩＤ−フォーマットでは、この識別コードＩＤとしては、単調増加するバイナリ−コードを用いることが定められている。しかし、識別コードＩＤとして、どのようなバイナリーコードを用いるかの従来例は、現在のところ存在しない。
【０００５】
【発明が解決しようとする課題】
上述したように、ＩＤ−１フォーマットにおいては、識別コードＩＤは、単なるバイナリコードとして規定されているため、単純には、２３ビットの符号なし数（０〜８３８８６０７）として用いるものと解釈される。
【０００６】
ところが、計測用途などに、この例のデータレコーダを使用する場合、基準位置として「０」の位置を使用できる方が便利である。しかし、ＶＴＲの場合、サーボ用などのためにプリロール部分が必要で、実際にデータ記録部分として使用できるのは、識別コードＩＤを符号なし数で表現したとき、「２００」以上の数のアドレス位置からとなってしまう。
【０００７】
そこで、識別コードＩＤを符号付き数（−４１９４３０４〜４１９４３０３）としても解釈できるようにすれば、「０」のアドレス位置をユーザが使用することが可能になり、便利である。
【０００８】
符号付きと解釈する場合に通常用いられる２の補数形式を用いて、ＩＤ−１フォーマットに適応させるべく単調増加のバイナリコードにより識別コードＩＤを生成すると、図６に示すようになる。なお、この図６では、簡単のため、識別コードＩＤを４ビットとして例示した。
【０００９】
この図６から明らかなように、識別コードＩＤについて、符号付きの解釈を行った場合、正負の符号の変わり目で、「７」から「−８」というように、正の絶対値最大から負の絶対値最大に値がジャンプしてしまう。そして、例えば識別コードＩＤで示されるアドレス位置「４」の点から、アドレス位置「−２」の位置にまで、テープ上でデータの頭出しを行おうとした場合などのように、現在位置に対して符号が逆のアドレス位置をサーチする場合に、サーチ方向が通常の感覚とは異なることになってしまう欠点がある。
【００１１】
この発明は、以上の点にかんがみ、符号付き数として解釈した場合にも、値のジャンプがなく、しかも、テープ１上においては、単調増加のコードであるという条件を満足することができる識別コードＩＤを得ることができるようにした情報信号記録装置を提供することを目的とする。
【００１２】
【課題を解決するための手段】
前記課題を解決するため、この発明においては、
磁気テープ上に、その長手方向に斜めに形成された情報信号記録トラックの前記磁気テープ上の位置を識別するための識別信号として、単調変化のバイナリ−コードを前記磁気テープの長手方向に沿って記録するようにする磁気記録装置であって、
最上位ビットで正負の符号を表わすものであって、前記磁気テープの始端側と終端側とでは正、負の符号が異なるようにすると共に、前記情報信号記録トラックの前記磁気テープ上の位置に対応して順次に変化する２の補数表現のコードを発生するコード発生手段と、
前記コード発生手段からの前記２の補数表現のコードの最上位ビットを反転する反転手段と、
前記反転手段からのコードを、前記識別信号として前記磁気テープの長手方向に沿って記録する手段と、
を備えることを特徴とする。
【００１３】
【作用】
２の補数表現のコードの最上位ビットを反転させたコードは、単調増加のバイナリコードとなっている。この識別コードを再生し、最上位ビットを反転させると、２の補数表現のコードが得られ、これはジャンプの生じない符号付き数と解釈することができる。したがって、磁気テープ上では単調増加のコードであって、しかも値が連続している符号付きの識別コードを記録できたことになる。
【００１４】
【実施例】
図１は、この発明による磁気記録装置の要部の一実施例のブロック図を示すものである。
【００１５】
図１において、１１は単純バイナリコードＳ１の発生手段、１２は２の補数表現のコードＳ２の発生手段、１３はコントロールパルスＣＰの発生手段である。発生手段１１及び１２には、システムコントローラ１４からの記録動作のスタート／ストップ信号ＲＥＣが供給されると共に、コントロールパルス発生手段１３からのパルスＣＰが供給される。
【００１６】
そして、スタート／ストップ信号ＲＥＣが記録スタートを示すものであるとき、これら発生手段１１及び１２は、それぞれパルスＣＰ毎に順次変化する単純バイナリコードＳ１及び２の補数表現のコードＳ２を発生する。また、スタート／ストップ信号ＲＥＣが記録ストップを示すものであるとき、これら発生手段１１及び１２は、そのときのコードＳ１及びＳ２を記憶し、次にスタート／ストップ信号ＲＥＣが記録スタートを示す状態なったときに、その記憶したコードから変化を開始する。
【００１７】
この場合、テープの始端からの初期的な記録開始時点では、単純バイナリコード発生手段１１は、符号なしの数「０」からコードＳ１を発生するが、２の補数表現のバイナリコードの発生手段１２は、初期値レジスタ１５に設定された初期値からコードＳ２の発生を行う。初期値レジスタ１５には、例えばキー入力手段などの初期値設定手段１６により初期値が設定される。初期値は、コードＳ２を符号付き数と解釈した場合の、負の数を設定することができる。なお、単純バイナリコードの発生手段１５に対しても初期値レジスタを設け、正の数を初期値として設定するようにすることもできる。
【００１８】
単純バイナリコードＳ１の発生手段１１からのコードＳ１はスイッチ回路１８の一方の入力端に供給される。また、２の補数表現のバイナリコードＳ２の発生手段１２からのコードＳ２は、最上位ビット反転手段１７に供給されて、その最上位ビットが反転される。この最上位ビット反転手段１７からのコードＳ３は、符号なしの単純バイナリコードとして見た場合、単調増加のコードである。
【００１９】
例えば、簡単のため、４ビットのコードで考えると、図２の表に示すようになる。すなわち、符号付き数として単調増加となるように図２の左側に示すように変化させたとき、その数の２の補数表現のコードＳ２は図２の中央に示すようになる。そして、このコードＳ２の最上位ビットを反転させたコードＳ３は、図２の右側に示すように単調増加のバイナリコードになる。
【００２０】
この最上位ビット反転手段１４からのコードＳ３はスイッチ回路１８の他方の入力端Ａに供給される。そして、このスイッチ回路１８が符号付き／符号なしＩＤ選択手段１９からの選択信号ＳＥにより切り換えられる。
【００２１】
選択手段１９は、例えばキー入力手段で構成され、符号付きＩＤが選択されたときは、選択信号ＳＥによりスイッチ回路１８は入力端Ａ側に切り換えられ、最上位ビット反転手段１４からのコードＳ３が、識別コードＩＤとしてこのスイッチ回路１８から取り出される。また、符号なしＩＤが選択されたときは、選択信号ＳＥによりスイッチ回路１８は入力端Ｂ側に切り換えられ、単純バイナリコード発生手段１１からのコードＳ１が、識別コードＩＤとしてこのスイッチ回路１８から取り出される。
【００２２】
このスイッチ回路１８からの識別コードＩＤは、記録信号形成手段２０に供給される。この記録信号形成手段２０には、また、コントロールパルス発生手段１３からのパルスＣＰが供給される。そして、この記録信号形成手段２０において、図５Ｂに示したような記録信号が形成され、これがアンプ２１を介して固定の磁気ヘッド２２に供給されて、図５Ａに示したように磁気テープ１の長手方向に沿ったコントロールトラック３として記録される。
【００２３】
なお、コントロールパルスＣＰは、図示しないが情報信号記録用の回転ヘッドのサーボ系に基準信号として供給され、そのサーボ制御により、コントロールトラック上のパルスＣＰ及び識別コードＩＤが情報信号記録トラックの４本毎に，１対１に対応して記録されるようになされている。
【００２４】
こうして、ＩＤ−１の規格を遵守した状態で、符号なしの数（ＩＤ）で表現される識別コードＩＤだけでなく、符号付き数（ＩＤ）として解釈することができる識別コードＩＤを記録することができる。そして、この記録した識別コードＩＤは、符号付きＩＤが選択された場合には、再生時、再生コードの最上位ビットを反転させることにより、符号付きとして解釈できる２の補数表現のコードを得ることができる。
【００２５】
図３は、コントロールトラックからの再生系の一例のブロック図である。すなわち、磁気ヘッド２２によりコントロールトラックから再生された信号は、アンプ２３を介してパルス分離手段２４に供給される。このパルス分離手段２４では、再生信号からコントロールパルスＣＰと識別コードＩＤとが分離され、コントロールパルスＣＰは、再生系のトラッキングサーボなどの基準信号とされる。
【００２６】
また、パルス分離手段２４からの識別コードＩＤはスイッチ回路２５に供給される。このスイッチ回路２５は、符号付き／符号なしＩＤ選択手段１９からの選択信号ＳＥにより切り換えられる。
【００２７】
そして、この場合、符号付きＩＤが選択されたときには、スイッチ回路２５は出力端Ａ側に切り換えられ、識別コードＩＤは最上位ビット反転手段２６に供給されて、識別コードＩＤの最上位ビットのみが反転される。この最上位ビット反転手段２６からは２の補数表現のコードＳ３が得られることになる。この反転手段２６からの２の補数表現のコードＳ３は、コード−１０進数変換手段２７に供給されて符号付きの１０進数に変換され、表示器２８に、その数値が表示される。この場合、簡単のため、前述と同様に４ビットの場合を例にとった場合の、再生信号中の識別コードＩＤ、この再生コードＩＤの最上位ビットを反転させた状態のコード（２の補数表現のコードＳ３）及び符号付き数（１０進数）の例を図４の表に示す。
【００２８】
また、符号なしＩＤが選択されたときには、スイッチ回路２５は出力端Ｂ側に切り換えられ、再生識別コードＩＤはコード−１０進数変換手段２９に供給される。そして、この変換手段２９で単純バイナリコードが１０進数に変換され、表示器２８に、その数値が表示される。
【００２９】
なお、以上の例はＩＤ−１フォーマットのデータレコーダに、この発明を適用した場合について説明したが、ＩＤ−１フォーマットと同様の規格を有する磁気記録装置の場合のすべてに、この発明は適用可能である。
【００３０】
【発明の効果】
以上説明したように、この発明によれば、単調増加という規格上の制約を遵守した状態で、ユーザに見える識別コードの数値表現の値として符号付きの数値を使用することができるようになる。したがって、識別コードを、情報信号トラックの識別用としてユーザの都合に合わせて便利に使用することができる。
【図面の簡単な説明】
【図１】この発明の要部の一実施例のブロック図である。
【図２】図１の例により記録する識別コードの例を説明するための図である。
【図３】図１の例により記録した識別コードの再生系の一例のブロック図である。
【図４】図３の例により再生する識別コードの例を説明するための図である。
【図５】この発明の対象の一例であるＩＤ−１フォーマットのテープパターンを説明するための図である。
【図６】ＩＤ−１フォーマットにおける識別コードの説明のための図である。
【符号の説明】
１１  単純バイナリコードの発生手段
１２  ２の補数表現の識別コードの発生手段
１７  最上位ビット反転手段
１８  スイッチ回路
１９  符号付き／符号なしＩＤ選択手段
２２  固定の磁気ヘッド
【図１】
0003764489.tif 000002
【図２】
0003764489.tif 000003
【図３】
0003764489.tif 000004
【図４】
0003764489.tif 000005
【図５】
0003764489.tif 000006
【図６】
0003764489.tif 000007